(57)【要約】      （修正有）【課題】ユーザが開示した個人情報の度合に応じて報酬を送信する情報送信方法、情報送信装置、情報送信プログラムを提供する。【解決手段】本発明の情報送信方法は、ユーザの端末に報酬に関する報酬情報を送信する情報処理装置の情報送信方法であって、ユーザの端末から個人に関する個人情報を通信部によって受信し、個人情報の開示の度合いに基づいて、報酬情報を通信部によって送信し、前記ユーザの端末から宿泊施設に宿泊するための情報を前記通信部によって受信し、前記宿泊施設に宿泊するための情報と、前記個人情報の開示の度合いとに基づいて、前記報酬情報を前記通信部によって送信する。【選択図】図５
2019211851.tif 000002
【特許請求の範囲】
【請求項１】
ユーザの端末に報酬に関する報酬情報を送信する情報処理装置の情報送信方法であって、
前記ユーザの端末から個人に関する個人情報を通信部によって受信し、
前記個人情報の開示の度合いに基づいて、前記報酬情報を前記通信部によって送信する。
【請求項２】
請求項１に記載の情報送信方法であって、
前記ユーザの端末から宿泊施設に宿泊するための情報を前記通信部によって受信し、
前記宿泊施設に宿泊するための情報と、前記個人情報の開示の度合いとに基づいて、前記報酬情報を前記通信部によって送信する。
【請求項３】
請求項１に記載の情報送信方法であって、
前記個人情報に基づいて、前記ユーザの端末に広告情報を前記通信部によって送信する。
【請求項４】
請求項３に記載の情報送信方法であって、
前記ユーザの端末によって前記広告情報が閲覧されたことを示す情報を前記通信部によって受信し、
前記広告情報が閲覧されたことを示す情報の受信に基づいて、前記報酬情報を前記通信部によって送信する。
【請求項５】
請求項３または請求項４に記載の情報送信方法であって、
前記広告情報を配信する企業のサーバから前記広告情報を前記通信部によって受信し、
前記個人情報の開示度合いに基づいて、前記企業に対する請求額を異ならせる。
【請求項６】
請求項３から請求項５のいずれか一項に記載の情報送信方法であって、
前記個人情報は、位置に関する情報を少なくとも含み、
前記位置に関する情報に基づく前記広告情報を前記通信部によって送信する。
【請求項７】
請求項１から請求項６のいずれか一項に記載の情報送信方法であって、
前記報酬情報は、前記個人情報の開示の度合いが多いほど前記報酬が高くなる。
【請求項８】
請求項１から請求項７のいずれか一項に記載の情報送信方法であって、
前記個人情報は、前記個人の名前、前記個人の電話番号、前記個人のメールアドレス、前記個人の住所のうち少なくとも一つが含まれる。
【請求項９】
請求項１から請求項８のいずれか一項に記載の情報送信方法であって、
前記個人情報は、前記個人の家族に関する情報を含み、
前記個人の家族のうち、少なくとも一人の人物に対応する端末に前記報酬を送信する。
【請求項１０】
ユーザの端末に報酬に関する報酬情報を送信する情報処理装置であって、
前記ユーザの端末から個人に関する個人情報を受信する通信部と、
前記個人情報の開示の度合いに基づいて、前記通信部を介して前記報酬情報を送信する制御部とを備える。
【請求項１１】
ユーザの端末に報酬に関する報酬情報を送信する情報処理装置のコンピュータに実行させるプログラムであって、
前記ユーザの端末から個人に関する個人情報を前記通信部によって受信し、
前記個人情報の開示の度合いに基づいて、前記報酬情報を前記通信部によって送信する処理を実行させる。
【発明の詳細な説明】
【技術分野】
【０００１】
本開示は、メッセージングアプリケーションを利用するユーザに報酬を付与する情報送信方法に関する。
【背景技術】
【０００２】
近年、ネットワークを介して、広告を配信するサービスがある。特許文献１には、顧客が広告の受領を希望した場合に、広告を受け取ってくれた報酬として対価を与えることができる広告配信システムが開示されている。しかしながら、ユーザがより広告を受け取りやすくするための更なる工夫が必要である。
【先行技術文献】
【特許文献】
【０００３】
【特許文献１】特開２００３−２６３５８５号公報
【発明の概要】
【０００４】
本開示の一態様に係る情報送信方法は、ユーザの端末に報酬に関する報酬情報を送信する情報処理装置の情報送信方法であって、ユーザの端末から個人に関する個人情報を通信部によって受信し、個人情報の開示の度合いに基づいて、報酬情報を通信部によって送信する。
また、本開示の一態様に係る情報送信装置は、ユーザの端末に報酬に関する報酬情報を送信する情報処理装置であって、ユーザの端末から個人に関する個人情報を受信する通信部と、個人情報の開示の度合いに基づいて、通信部を介して報酬情報を送信する制御部とを備える。
また、本開示の一態様に係る情報送信プログラムは、ユーザの端末に報酬に関する報酬情報を送信する情報処理装置のコンピュータに実行させるプログラムであって、ユーザの端末から個人に関する個人情報を通信部によって受信し、個人情報の開示の度合いに基づいて、報酬情報を通信部によって送信する処理を実行させる。
【図面の簡単な説明】
【０００５】
【図１】第１実施形態の一態様における通信システムの構成を示す図。
【図２】（ａ）、（ｂ）は、実施形態の一態様における通信システムの構成を示す図。
【図３】個人情報の構成例を示すデータ概念図。
【図４】（ａ）は、個人情報の開示度合に応じた報酬を示す報酬配布基準情報の構成例を示すデータ概念図。（ｂ）は、個人情報の開示度合に応じた広告を示す広告配布基準情報の構成例を示すデータ概念図。
【図５】第１実施形態に係る通信システムの処理のシーケンスの一例を示す図。
【図６】第１実施形態における端末の動作を示すフローチャートである。
【図７】第１実施形態におけるサーバ１０の動作を示すフローチャートである。
【図８】第２実施形態の一態様における通信システムの構成を示す図。
【図９】第２実施形態に係る装置間のやり取りを示すシーケンスの一例を示す図。
【図１０】第２実施形態における端末の動作を示すフローチャートである。
【図１１】第２実施形態におけるサーバの動作を示すフローチャートである。
【図１２】第２実施形態における施設サーバの動作を示すフローチャートである。
【図１３】第３実施形態に係る装置間のやり取りを示すシーケンスの一例を示す図。
【図１４】第３実施形態に係る端末の動作を示すフローチャートである。
【図１５】第３実施形態に係るサーバの動作を示すフローチャートである。
【図１６】第３実施形態に係る施設（広告）サーバの動作を示すフローチャートである。
【発明を実施するための形態】
【０００６】
＜法的事項の遵守＞
本明細書に記載の開示は、通信の秘密など、本開示の実施に必要な実施国の法的事項遵守を前提とすることに留意されたい。
【０００７】
本開示に係る情報送信方法を実施するための実施形態について、図面を参照して説明する。
【０００８】
＜システム構成＞
図１は、本開示の一実施形態に係る通信システム１の構成を示す。図１に開示されるように、通信システム１では、ネットワーク３０を介してサーバ１０と、端末２０（端末２０Ａ，端末２０Ｂ，端末２０Ｃ）とが接続される。サーバ１０は、ネットワーク３０を介してユーザが所有する端末２０に、端末２０間でのメッセージの送受信を実現するサービスを提供する。また、ネットワーク３０には、他のサービスを提供する施設サーバ４０が接続されていてもよく、端末２０は、施設サーバ４０が提供するウェブサイトも利用可能である。なお、ネットワーク３０に接続される端末２０の数は限定されない。同様に、ネットワーク３０に接続する施設サーバ４０の数も限定されない。施設サーバ４０は、様々なサービスを提供するためのサーバであってよく、限定するわけではなく一例として、各種宿泊施設に対応するサーバであったり、イベント情報を提供するサーバであったり、飲食店に対応するサーバであったり、何らかの広告を頒布するサーバなどであってよいし、自社製品の宣伝を行う企業のサーバであったりしてよい。
【０００９】
ネットワーク３０は、１以上の端末２０と、１以上のサーバ１０とを接続する役割を担う。すなわち、ネットワーク３０は、端末２０がサーバ１０に接続した後、データを送受信することができるように接続経路を提供する通信網を意味する。
【００１０】
ネットワーク３０のうちの１つまたは複数の部分は、有線ネットワークや無線ネットワークであってもよい。ネットワーク３０は、限定でなく例として、アドホック・ネットワーク（ad hoc network）、イントラネット、エクストラネット、仮想プライベート・ネットワーク（virtual private network：ＶＰＮ）、ローカル・エリア・ネットワーク（local area network：ＬＡＮ）、ワイヤレスＬＡＮ（wireless LAN：ＷＬＡＮ）、広域ネットワーク（wide area network：ＷＡＮ）、ワイヤレスＷＡＮ（wireless WAN：ＷＷＡＮ）、大都市圏ネットワーク（metropolitan area network：ＭＡＮ）、インターネットの一部、公衆交換電話網（Public Switched Telephone Network：ＰＳＴＮ）の一部、携帯電話網、ＩＳＤＮ（integrated service digital networks）、無線ＬＡＮ、ＬＴＥ（long term evolution）、ＣＤＭＡ（code division multiple access）、ブルートゥース（Bluetooth（登録商標））、衛星通信など、または、これらの２つ以上の組合せを含むことができる。ネットワーク３０は、１つまたは複数のネットワーク３０を含むことができる。
【００１１】
端末２０（端末２０Ａ，端末２０Ｂ，端末２０Ｃ）は、各実施形態において記載する機能を実現できる情報処理端末であればどのような端末であってもよい。端末２０は、限定ではなく例として、スマートフォン、携帯電話（フィーチャーフォン）、コンピュータ（限定でなく例として、デスクトップ、ラップトップ、タブレットなど）、メディアコンピュータプラットホーム（限定でなく例として、ケーブル、衛星セットトップボックス、デジタルビデオレコーダ）、ハンドヘルドコンピュータデバイス（限定でなく例として、ＰＤＡ・（personal digital assistant）、電子メールクライアントなど）、ウェアラブル端末（メガネ型デバイス、時計型デバイスなど）、または他種のコンピュータ、またはコミュニケーションプラットホームを含む。また、端末２０は情報処理端末と表現されても良い。
【００１２】
端末２０Ａ、端末２０Ｂおよび端末２０Ｃの構成は基本的には同一であるため、以下の説明においては、端末２０について説明する。また、必要に応じて、ユーザXが利用する端末を端末２０Xと表現し、ユーザXまたは端末２０Xに対応づけられた、所定のサービスにおけるユーザ情報をユーザ情報Xと表現する。なお、ユーザ情報とは、所定のサービスにおいてユーザが利用するアカウントに対応付けられたユーザの情報である。ユーザ情報は、限定でなく例として、ユーザにより入力される、または、所定のサービスにより付与される、ユーザの名前、ユーザのアイコン画像、ユーザの年齢、ユーザの性別、ユーザの住所、ユーザの趣味趣向、ユーザの識別子などのユーザに対応づけられた情報を含み、これらのいずれか一つまたは、組み合わせであってもよい。
【００１３】
サーバ１０は、端末２０に対して、所定のサービスを提供する機能を備える。サーバ１０は、各実施形態において記載する機能を実現できる情報処理装置であればどのような装置であってもよい。サーバ１０は、限定でなく例として、サーバ装置、コンピュータ（限定でなく例として、デスクトップ、ラップトップ、タブレットなど）、メディアコンピュータプラットホーム（限定でなく例として、ケーブル、衛星セットトップボックス、デジタルビデオレコーダ）、ハンドヘルドコンピュータデバイス（限定でなく例として、ＰＤＡ、電子メールクライアントなど）、あるいは他種のコンピュータ、またはコミュニケーションプラットホームを含む。また、サーバ１０は情報処理装置と表現されても良い。サーバ１０と端末２０とを区別する必要がない場合は、サーバ１０と端末２０とは、それぞれ情報処理装置と表現されてもよい。
【００１４】
＜ハードウェア（HW）構成＞ 
図１を用いて、通信システム１に含まれる各装置のHW構成について説明する。
【００１５】
（１）端末のHW構成
端末２０は、制御部２１（ＣＰＵ：central processing unit（中央処理装置））、記憶部２８、通信Ｉ／Ｆ２２（インタフェース）、入出力部２３、表示部２４、位置情報取得部２５を備える。端末２０のHWの各構成要素は、限定でなく例として、バスB２を介して相互に接続される。
【００１６】
通信Ｉ／Ｆ２２は、ネットワーク３０を介して各種データの送受信を行う。この通信は、有線、無線のいずれで実行されてもよく、互いの通信が実行できるのであれば、どのような通信プロトコルを用いてもよい。通信Ｉ／Ｆ２２は、ネットワーク３０を介して、サーバ１０との通信を実行する機能を有する。通信Ｉ／Ｆ２２は、各種データを制御部２１からの指示に従って、サーバ１０に送信する。また、通信Ｉ／Ｆ２２は、サーバ１０から送信された各種データを受信し、制御部２１に伝達する。
【００１７】
入出力部２３は、端末２０に対する各種操作を入力する装置（入力部）、および、端末２０で処理された処理結果を出力する装置（出力部）を含む。入出力部２３は、入力部と出力部が一体化していても良いし、入力部と出力部に分離していてもよい。
【００１８】
入力部は、ユーザからの入力を受け付けて、入力に係る情報を制御部２１に伝達できる全ての種類の装置のいずれかまたはその組み合わせにより実現される。入力部は、限定でなく例として、タッチパネル２３１、タッチディスプレイ、キーボード等のハードウェアキーや、マウス等のポインティングデバイス、カメラ（動画像を介した操作入力）、マイク２３３（音声による操作入力）を含む。
【００１９】
出力部は、制御部２１で処理された処理結果を出力することができる全ての種類の装置のいずれかまたはその組み合わせにより実現される。出力部は、限定でなく例として、 タッチパネル、タッチディスプレイ、スピーカ２３２（音声出力）、レンズ（限定でなく例として３D（three dimensions）出力や、ホログラム出力）、プリンターなどを含む。
【００２０】
表示部２４は、フレームバッファに書き込まれた表示データに従って、表示することができる全ての種類の装置のいずれかまたはその組み合わせにより実現される。表示部２４は、限定でなく例として、タッチパネル、タッチディスプレイ、モニタ（限定でなく例として、液晶ディスプレイやOELD（organic electroluminescence display））、ヘッドマウントディスプレイ（ＨＤＭ：Head Mounted Display）、プロジェクションマッピング、ホログラム、空気中など（真空であってもよい）に画像やテキスト情報等を表示可能な装置を含む。なお、これらの表示部２４は、３Dで表示データを表示可能であってもよい。
【００２１】
入出力部２３がタッチパネルの場合、入出力部２３と表示部２４とは、略同一の大きさおよび形状で対向して配置されていても良い。
【００２２】
位置情報取得部２５は、端末２０の現在位置を取得する機能を有する。限定的でなく例として、位置情報取得部２５は、ＧＰＳ（Ｇｌｏｂａｌ  Ｐｏｓｉｔｉｏｎｉｎｇ  Ｓｙｓｔｅｍ）やＧＮＳＳ（Ｇｌｏｂａｌ  Ｎａｖｉｇａｔｉｏｎ  Ｓａｔｅｌｌｉｔｅ  Ｓｙｓｔｅｍ）などにより実現される。位置情報取得部２５は、端末２０の現在位置の位置情報として、該端末２０の緯度及び経度を測定する。なお、位置情報取得部２５による端末２０の位置情報の計測は、ＧＰＳに限られず、どのような方法を用いてもよい。限定でなく例として、位置情報取得部２５は、Ｗｉ−Ｆｉなどの無線ＬＡＮを利用して、端末２０の位置情報を測定してもよい。その他にも、位置情報取得部２５は、限定でなく例として、ＩＭＥＳ（Ｉｎｄｏｏｒ  ＭＥｓｓａｇｉｎｇ  Ｓｙｓｔｅｍ）やＲＦＩＤ（Ｒａｄｉｏ  Ｆｒｅｑｕｅｎｃｙ  Ｉｄｅｎｔｉｆｉｅｒ）、ＢＬＥ（Ｂｌｕｅｔｏｏｔｈ  Ｌｏｗ  Ｅｎｅｒｇｙ）などの通信方式を用いて、端末２０の位置情報を測定してもよい。また、位置情報取得部２５は、限定でなく例として、ＬＴＥやＣＤＭＡなどの移動体通信システムを用いて、端末２０の位置情報を測定してもよい。位置情報取得部２５は、制御部２１からの要求に従って、端末２０の位置情報を測定し、測定した位置情報を、制御部２１に伝達する。
【００２３】
制御部２１は、プログラム内に含まれたコードまたは命令によって実現する機能を実行するために物理的に構造化された回路を有し、限定でなく例として、ハードウェアに内蔵されたデータ処理装置により実現される。
【００２４】
制御部２１は、限定でなく例として、中央処理装置（ＣＰＵ）、マイクロプロセッサ（microprocessor）、プロセッサコア（processor core）、マルチプロセッサ（multiprocessor）、ＡＳＩＣ（application-specific integrated circuit）、ＦＰＧＡ（field programmable gate array）を含む。
【００２５】
記憶部２８は、端末２０が動作するうえで必要とする各種プログラムや各種データを記憶する機能を有する。記憶部２８は、限定でなく例として、ＨＤＤ（hard disk drive）、ＳＳＤ（solid state drive）、フラッシュメモリ、ＲＡＭ（random access memory）、ＲＯＭ（read only memory）など各種の記憶媒体を含む。
【００２６】
端末２０は、プログラムＰを記憶部２８に記憶し、このプログラムＰを実行することで、制御部２１が、制御部２１に含まれる各部としての処理を実行する。つまり、記憶部２８に記憶されるプログラムＰは、端末２０に、制御部２１が実行する各機能を実現させる。
【００２７】
マイク２３３は、音声データの入力に利用される。スピーカ２３２は、音声データの出力に利用される。カメラは、動画像データの取得に利用される。
【００２８】
（２）サーバのHW構成 
サーバ１０は、制御部１１（ＣＰＵ）、記憶部１５、通信Ｉ／Ｆ１４（インタフェース）、入出力部１２、表示部１３を備える。サーバ１０のHWの各構成要素は、限定でなく例として、バスB１を介して相互に接続される。
【００２９】
制御部１１は、プログラム内に含まれたコードまたは命令によって実現する機能を実行するために物理的に構造化された回路を有し、限定でなく例として、ハードウェアに内蔵されたデータ処理装置により実現される。
【００３０】
制御部１１は、代表的には中央処理装置（ＣＰＵ）、であり、その他にマイクロプロセッサ、プロセッサコア、マルチプロセッサ、ＡＳＩＣ、ＦＰＧＡであってもよい。ただし、本開示において、制御部１１は、これらに限定されない。
【００３１】
記憶部１５は、サーバ１０が動作するうえで必要とする各種プログラムや各種データを記憶する機能を有する。記憶部１５は、ＨＤＤ、ＳＳＤ、フラッシュメモリなど各種の記憶媒体により実現される。ただし、本開示において、記憶部１５は、これらに限定されない。
【００３２】
通信Ｉ／Ｆ１４は、ネットワーク３０を介して各種データの送受信を行う。この通信は、有線、無線のいずれで実行されてもよく、互いの通信が実行できるのであれば、どのような通信プロトコルを用いてもよい。通信Ｉ／Ｆ１４は、ネットワーク３０を介して、端末２０との通信を実行する機能を有する。通信Ｉ／Ｆ１４は、各種データを制御部１１からの指示に従って、端末２０に送信する。また、通信Ｉ／Ｆ１４は、端末２０から送信された各種データを受信し、制御部１１に伝達する。
【００３３】
入出力部１２は、サーバ１０に対する各種操作を入力する装置により実現される。入出力部１２は、ユーザからの入力を受け付けて、入力に係る情報を制御部１１に伝達できる全ての種類の装置のいずれかまたはその組み合わせにより実現される。入出力部１２は、代表的にはキーボード等に代表されるハードウェアキーや、マウス等のポインティングデバイスで実現される。なお、入出力部１２、限定でなく例として、タッチパネルやカメラ（動画像を介した操作入力）、マイク（音声による操作入力）を含んでいてもよい。ただし、本開示において、入出力部１２は、これらに限定されない。
【００３４】
表示部１３は、代表的にはモニタ（限定でなく例として、液晶ディスプレイやOELD（organic electroluminescence display））で実現される。なお、表示部１３は、ヘッドマウントディスプレイ（ＨＤＭ）などであってもよい。なお、これらの表示部１３は、３Dで表示データを表示可能であってもよい。ただし、本開示において、表示部１３は、これらに限定されない。
【００３５】
サーバ１０は、プログラムＰを記憶部１５に記憶し、このプログラムＰを実行することで、制御部１１が、制御部１１に含まれる各部としての処理を実行する。つまり、記憶部１５に記憶されるプログラムＰは、サーバ１０に、制御部１１が実行する各機能を実現させる。
【００３６】
本開示の各実施形態においては、端末２０および／またはサーバ１０のＣＰＵがプログラムPを実行することにより、実現するものとして説明する。
【００３７】
なお、端末２０の制御部２１、および／または、サーバ１０の制御部１１は、ＣＰＵだけでなく、集積回路（ＩＣ（Integrated Circuit）チップ、ＬＳＩ（Large Scale Integration））等に形成された論理回路（ハードウェア）や専用回路によって各処理を実現してもよい。また、これらの回路は、１または複数の集積回路により実現されてよく、各実施形態に示す複数の処理を１つの集積回路により実現されることとしてもよい。また、ＬＳＩは、集積度の違いにより、ＶＬＳＩ、スーパーＬＳＩ、ウルトラＬＳＩなどと呼称されることもある。
【００３８】
また、本開示の各実施形態のプログラムP(ソフトウェアプログラム/コンピュータプログラム)は、コンピュータに読み取り可能な記憶媒体に記憶された状態で提供されてもよい。 記憶媒体は、「一時的でない有形の媒体」に、プログラムを記憶可能である。
【００３９】
記憶媒体は適切な場合、１つまたは複数の半導体ベースの、または他の集積回路（ＩＣ）（限定でなく例として、フィールド・プログラマブル・ゲート・アレイ（ＦＰＧＡ）または特定用途向けＩＣ（ＡＳＩＣ）など）、ハード・ディスク・ドライブ（ＨＤＤ）、ハイブリッド・ハード・ドライブ（ＨＨＤ）、光ディスク、光ディスクドライブ（ＯＤＤ）、光磁気ディスク、光磁気ドライブ、フロッピィ・ディスケット、フロッピィ・ディスク・ドライブ（ＦＤＤ）、磁気テープ、固体ドライブ（ＳＳＤ）、ＲＡＭドライブ、セキュア・デジタル・カードもしくはドライブ、任意の他の適切な記憶媒体、またはこれらの２つ以上の適切な組合せを含むことができる。記憶媒体は、適切な場合、揮発性、不揮発性、または揮発性と不揮発性の組合せでよい。なお、記憶媒体はこれらの例に限られず、プログラムＰを記憶可能であれば、どのようなデバイスまたは媒体であってもよい。
【００４０】
サーバ１０および／または端末２０は、記憶媒体に記憶されたプログラムＰを読み出し、読み出したプログラムＰを実行することによって、各実施形態に示す複数の機能部の機能を実現することができる。
【００４１】
また、本開示のプログラムＰは、プログラムＰを伝送可能な任意の伝送媒体(通信ネットワークや放送波等)を介して、サーバ１０および／または端末２０に提供されてもよい。サーバ１０および／または端末２０は、限定でなく例として、インターネット等を介してダウンロードしたプログラムＰを実行することにより、各実施形態に示す複数の機能部の機能を実現する。
【００４２】
また、本開示の各実施形態は、プログラムPが電子的な伝送によって具現化された、搬送波に埋め込まれたデータ信号の形態でも実現され得る。 
【００４３】
サーバ１０および／または端末２０における処理の少なくとも一部は、１以上のコンピュータにより構成されるクラウドコンピューティングにより実現されていてもよい。
【００４４】
端末２０における処理の少なくとも一部を、サーバ１０により行う構成としてもよい。この場合、端末２０の制御部２１の各機能部の処理のうち少なくとも一部の処理を、サーバ１０で行う構成としてもよい。
【００４５】
サーバ１０における処理の少なくとも一部を、端末２０により行う構成としてもよい。この場合、サーバ１０の制御部１１の各機能部の処理のうち少なくとも一部の処理を、端末２０で行う構成としてもよい。
【００４６】
明示的な言及のない限り、本開示の実施形態における判定の構成は必須でなく、判定条件を満たした場合に所定の処理が動作されたり、判定条件を満たさない場合に所定の処理がされたりしてもよい。
【００４７】
なお、本開示のプログラムは、限定でなく例として、ActionScript、JavaScript(登録商標)などのスクリプト言語、Objective-C、Java(登録商標)などのオブジェクト指向プログラミング言語、HTML5などのマークアップ言語などを用いて実装される。
【００４８】
＜第１実施形態＞
本実施形態は、サーバ１０が、端末２０のユーザに対して、ユーザがサーバ１０に対して公開した個人情報の開示度合に応じて、報酬を送信する。
【００４９】
一例として、図２（ａ）に示すように、図１に示すサーバ（情報処理装置）１０のうち、通信部（通信Ｉ／Ｆ）１４と、制御部１１とを備える構成であってもよい。なお、サーバ１０の構成は図１に記載する構成を適宜追加および取り外してもよく、また図１のサーバ１0に記載されていない構成も適宜追加するようにしてもよい。
【００５０】
サーバ１０の通信部１４は、ユーザの端末２０から個人に関する個人情報を受信する。そして、通信部１４は、個人情報の開示の度合いに基づいて、報酬情報を通信部によって送信する。
【００５１】
通信部１４は、制御部１１からの指示に従って、制御部１１が受信した個人情報の開示の度合いに基づいて、定めた報酬情報を送信するものであってもよい。
【００５２】
ここで、個人情報とは、端末２０を保持するユーザ自身に関する情報のことであり、ユーザの特徴や属性を示す情報のことである。限定ではなく、一例として、個人情報としては、ユーザの名前、性別、年齢、住所、電話番号、嗜好、所得など、ユーザに関わることであればどのような情報であってもよい。
【００５３】
また、個人情報の開示の度合いとは、上述したような各種の個人情報の開示の量、あるいは、開示を求められている個人情報全てに対してユーザが開示した情報の割合のことを意味する。
【００５４】
そして、報酬情報にて示される報酬とは、ユーザにとって、何らかの形で有益になるものであればどのようなものであってもよい。限定するのではなく一例として言えば、メッセージングアプリケーションを利用するうえで使用可能なサービスを利用するためのポイントであったり、メッセージングサービス以外の他のサービスを利用するためのポイントであったり、目的地である宿泊施設等の利用料（宿泊費）の軽減の権利であったり、宿泊施設で利用可能なサービスの無料利用権であったり、宿泊施設近辺で利用可能なサービス利用権であったり、仮想通貨や電子マネーなどであってよい。
【００５５】
そして、報酬情報を送信するとは、サーバ１０から、ユーザに対して上述したような報酬を与えることをいう。限定ではなく、一例として言えば、メッセージングアプリケーションを利用するうえで使用可能なサービスを利用するためのポイントを報酬とする場合には、サーバ１０上で管理する各ユーザに対応付けているポイントを加算して更新することをいう。また、あるいは、報酬が各種のサービスを利用するための権利である場合には、報酬情報を送信するとは、その旨を示す表示情報（例えば、クーポン）をユーザの端末に送信することであってもよい。また、報酬が仮想通貨や電子マネーである場合には、報酬情報を送信するとは、所定額の仮想通貨や電子マネーをネットワーク上で使用するためのパスワードを送付することであってもよい。
【００５６】
当該構成により、サーバ１０は、ユーザに対して、ユーザが開示した個人情報の開示度合に応じた報酬を送ることができ、ユーザに対して個人情報の開示を促すことができる。
【００５７】
このようなサーバ１０を備える通信システム１について、以下詳細に説明する。なお、図２（ａ）に示す各機能部は、図２（ｂ）に示すように、同等の機能を有する回路として構成されてよく、その場合に、１つの回路が複数の機能部の機能を実現するように構成されてもよい。
【００５８】
＜機能構成＞
（１）端末の機能構成
端末２０の通信Ｉ／Ｆ２２は、制御部２１（個人情報作成部２１３）からの指示によりユーザの個人情報を、ネットワーク３０を介して、サーバ１０に送信する。
【００５９】
端末２０の制御部２１により実現される機能として、メッセージ処理部２１１と、表示処理部２１２と、個人情報作成部２１３と、を有する。なお、制御部２１の構成は、上記した全ての構成を備える必要がなく、実施の形態に基づいて適宜一部の機能を取り外してもよい。
【００６０】
メッセージ処理部２１１は、所望のトークルームへの参加のための処理を行う機能を有している。トークルームへは、個人単位で参加することができるとともに、グループ単位でも参加することができる。ここで、トークルームとは、メッセージングサービスにおいて、メッセージのやり取りができるユーザインターフェースのことをいい、一連のトーク内容（やり取り）を表示する画面表示のことを指すこともある。メッセージ処理部２１１は、メッセージングアプリケーションを実行して、トークルームに参加する。メッセージ処理部２１１は、トークルームでのメッセージの送受信および送受信したメッセージを自端末で表示するための表示情報を取得し、表示処理部２１２に伝達する機能を有している。トークルームの表示画面としては、限定ではなく例として、上から下に向かう時間軸に対し、左側に受信メッセージが表示され、右側に送信メッセージが表示される。トークルームに参加した状態でメッセージを送信（発言）することで、サーバ１０を経由して、他の参加者の端末にメッセージが送信される。メッセージ処理部２１１は、ユーザからの指示に従って、メッセージの送信の一環として、記憶部１５に記憶されている個人情報を、トークルームを介してサーバ１０に送信することとしてもよい。
【００６１】
表示処理部２１２は、制御部２１が生成した表示データを、表示部２４を介して表示する。表示処理部２１２は、表示用のデータを画素情報に変換し、表示部２４のフレームバッファに書き込む機能を有する。表示処理部２１２は、サーバ１０から送信される報酬情報に係る表示用のデータを表示部２４のフレームバッファに書き込むことにより、表示部２４に報酬情報を表示させる。
【００６２】
個人情報作成部２１３は、入出力部２３から伝達されたユーザによる入力内容にしたがって個人情報を生成する。ここでいう個人情報の生成とは、ユーザが入力した内容にしたがって、各個人情報の種別（属性）それぞれに対応して、ユーザが入力した内容を対応付けた情報を生成することを意味する。個人情報の種別（属性）とは、ユーザの個人情報の内容を特定するものであって、限定ではなく一例として、ユーザの名前、年齢、性別、住所、電話番号、メールアドレス、嗜好、家族情報などが含まれてよい。個人情報作成部２１３は、生成したユーザの個人情報を記憶部２８に記憶させる。個人情報作成部２１３は、通信Ｉ／Ｆ２２に、サーバ１０に宛ててユーザの個人情報を送信する。
【００６３】
記憶部１５は、個人情報作成部２１３により生成されたユーザの個人情報を記憶する。ユーザの個人情報の詳細については後述する。
【００６４】
（２）サーバの機能構成
図１に示すように、サーバ１０の制御部１１により実現される機能として、決定部１１１と報酬送信部１１２として機能する。
【００６５】
決定部１１１は、ユーザに対して与える報酬を決定する。決定部１１１は、記憶部２８に記憶されている報酬配布基準情報４００と、ユーザの個人情報とに基づいて、ユーザに与える報酬を決定する。より具体的には、決定部１１１は、ユーザの個人情報において開示されている個人情報の開示度合（開示されている数や、開示が求められている個人情報全体に対して開示した割合）を算出する。そして、決定部１１１は、報酬配布基準情報４００を参照して、算出した開示度合に応じた報酬を決定する。
【００６６】
報酬送信部１１２は、決定部１１１が決定した報酬情報を、端末２０のユーザに送信する。ここで、ユーザに報酬情報を送信するとは、ユーザに対して報酬を与えること含み、限定ではなく一例として、報酬がポイントである場合には、サーバ１０で管理するユーザに対応付けられているポイントに対して、報酬としてのポイントを加算することをいう。また、あるいは、報酬が何等かのサービスを受けるための対価の割引という形で、与えられる場合には、その割引の権利を示す情報（例えば、クーポン）を端末２０に送信することであってもよい。また、あるいは、報酬が何らかの物品である場合には、報酬を付与するとは、当該物品をユーザの住所に宛てて送ることであってもよい。また、例えば、報酬が仮想通貨である場合には、仮想通貨を使用するためのパスワードを示す情報を送信することであってもよい。
【００６７】
記憶部１５は、報酬を決定するための報酬配布基準情報４００を記憶している。報酬配布基準情報４００は、ユーザが開示した個人情報の開示度合に基づいて、ユーザに対して与える報酬を決定するための情報である。報酬配布基準情報４００の詳細については後述する。
【００６８】
以上の機能を実現することにより、サーバ１０は、ユーザに対して、ユーザが開示した個人情報の開示度合に応じた報酬情報を送信することができる。
【００６９】
＜データ＞
図３は、端末２０からサーバ１０に送信される個人情報の構成例を示すデータ概念図である。
【００７０】
図３に示すように、個人情報は、端末２０を保持するユーザに関する情報を含み、ユーザの「名前」、「年齢」、「住所」、「電話番号」、「メールアドレス」、「年収」、「嗜好」などを含んでよく、更には、ユーザの家族に関する「家族情報」を含んでよい。なお、図３に示した個人情報は一例に過ぎず、図３に示した以外の情報を含んでもよいし、図３に示した情報の一部を含まずともよい。また、ユーザ個人がもちえる複数の情報が登録できるようになっていてもよく、図３に示すように、複数の電話番号や、複数のメールアドレスを個人情報として含んでよい。また、家族情報についても、家族の「名前」や、ユーザ個人との間の「続柄」、「年齢」、「電話番号」、「メールアドレス」等の情報を含んでよい。これらの情報が、サーバ１０に送信されることによりサーバ１０において、サーバ１０が提供するサービスを利用しているユーザが、どのようなユーザであるのかを示す統計情報を得ることができ、限定ではなく一例として、マーケティング等に利用することができる。また、ユーザの個人情報に、ユーザの家族に関する情報が含まれていることにより、限定ではなく一例として、ユーザの家族構成によるユーザの行動の違いのマーケティングや、あるいは、新規ユーザの開拓等に利用することができる。また、ユーザが開示する個人情報を用いて、報酬情報を送信する際に、家族情報が開示されていれば、ユーザの家族に対して報酬を送信することもできる。家族情報に示される家族に報酬を送信する構成を備えていれば、仮にユーザに報酬情報を送ることができなかった場合であっても、ユーザに関連する他の人物に報酬情報を送信することで、ユーザに関連する人物の満足度を向上させることでユーザの満足度も併せて向上させることができる。
【００７１】
端末２０のユーザは、図３に示す個人情報の中から、開示してもよいと判断した内容についてのみ入力する。個人情報作成部２１３は、入出力部２３に対するユーザからの入力に従って、個人情報を作成する。そして、入力完了後の個人情報が、端末２０のユーザに係る個人情報としてサーバ１０に送信される。
【００７２】
図４（ａ）は、サーバ１０が保持する報酬配布基準情報４００の一例である。報酬配布基準情報４００は、サーバ１０がユーザに対して与える報酬を決定するために用いる情報であって、ユーザが開示した個人情報の度合いに応じて、ユーザに与える報酬の対応関係を示す情報である。基本的には、報酬配布基準情報４００において、ユーザに与える報酬は、ユーザの個人情報の開示度合が多いほど高くなるように設定されているが、この限りではなく、個人情報の開示度合が異なることによって、報酬の内容が異なるように設定されていればよい。個人情報の開示度合が多いほど報酬をよりよくすることで、ユーザに対してより多くの個人情報の開示を促すことができるので、サーバ１０から見た場合には、ユーザについてより多くの情報を得て、マーティング等に役立てることができる。←この文章少しおかしくないでしょうか？この限りではない以下同じことを言っているように思えます。意図を教えてください。
【００７３】
報酬配布基準情報４００は、図４（ａ）に示すように、個人情報開示数４０１、即ち、個人情報開示度合と、報酬がそれぞれ報酬（ポイント）４０２と、報酬（割引率）４０３と、報酬（物品）４０４と、が対応付けられた情報である。
【００７４】
個人情報開示数４０１（個人情報開示度合）は、ユーザが個人情報において開示している数を示す情報である。これは、数に限らず、割合であってもよい。割合の場合には、個人情報として開示を求めている内容の総数に対して、ユーザが開示した数を除した値を、個人情報開示度合として用いることとしてよい。
【００７５】
報酬（ポイント）４０２とは、ユーザが開示した個人情報の開示度合に応じて、ユーザに対して報酬として何らかのサービスを受けるためのポイントを与える場合のポイント数を示す情報である。
【００７６】
報酬（割引率）４０３とは、ユーザが開示した個人情報の開示度合に応じて、ユーザに対して報酬として何らかの対価を支払う必要がある場合のサービスに対して、当該対価の割引の権利を与える場合の割引率を示す情報である。即ち、報酬（割引率）４０３は、例えば、金銭、仮想通貨、ポイントなど、サービスを受けるために数値で換算可能なものを対価として支払う必要がある場合に、その額から割り引くことができる率を示している。
【００７７】
報酬（物品）４０４とは、ユーザが開示した個人情報の開示度合に応じて、ユーザに対して報酬として何らかの物品を贈与する場合に、何の物品を贈与するのかを示す情報である。
【００７８】
報酬配布基準情報４００を記憶部１５が記憶していることにより、決定部１１１は、ユーザに対して、ユーザが開示した個人情報の開示度合に応じてユーザに与える報酬を決定することができる。
【００７９】
図４（ａ）の場合、個人情報開示数４０１が、「４」であって、報酬としてポイントが与えられる場合、ユーザには、「１０」ポイントの報酬が与えられる。また、報酬として、何らかのサービスの割引の権利である場合には、「５」％の割引の権利が与えられ、報酬としてユーザに物品が与えられる場合には、「物品Ａ」が与えられる。
【００８０】
なお、図４（ａ）においては、個人情報開示数４０１を開示度合としたが、上述したように、これはその限りではない。ユーザがどれほどの個人情報を開示しているかの目安になっていればよく、例えば、サーバ１０側で、ユーザに対して開示を希望する個人情報のリスト（例えば、図３に示す個人情報からユーザの個人情報を空欄にしたもの）を提示し、リストにおいて埋められた情報の割合（全項目を、ユーザが個人情報を記入した項目の数で除した値）を個人情報の開示度合としてもよく、その場合に、個人情報開示数４０１に代えて、報酬配布基準情報４００の個人情報開示度合は、割合の範囲で示されてよい。即ち、個人情報開示数４０１１〜２の場合、例えば、０〜１０％、３〜４の場合、例えば、１１〜２０％、…というように度合いを定めてもよい。
【００８１】
また、図４（ａ）には示していないが、更に、個人情報において開示している情報の内容に応じた重み付けを行ったうえで、個人情報開示度合を算出することとしてもよいし、開示内容それぞれに重み付けを行って、重み付けの重い内容（開示ランクが高い内容）を開示しているか否かに応じて、報酬が高くなるように設定されていてもよい。限定ではなく一例をあげて説明すると、個人情報として、住所を開示している場合には開示ランク３（高）、年齢を開示している場合には開示ランク２（中）、嗜好を開示していれば開示ランク１（低）というように設定していてもよく、このとき、ユーザが住所を開示していれば開示ランク３の報酬（高報酬）を与え、ユーザが年齢と嗜好しか開示していなければ開示ランク２の報酬（中報酬）を与えるような構成をとってもよい。また、開示している内容の重み付け値の合計値を、個人情報開示度合としてもよく、限定ではなく一例として、個人情報として、住所を開示している場合には開示ランク３（高）、年齢を開示している場合には開示ランク２（中）、嗜好を開示していれば開示ランク１（低）というような設定とした場合に、ユーザが住所と嗜好を開示していれば、個人情報開示度合を４とし、住所と年齢を開示していれば個人情報開示度合を５とするようにしてもよい。この重み付けを行うことによって、例えば、サーバ１０あるいは施設サーバ４０において、事業の関係上重要視する個人情報を、ユーザに開示させやすくすることができる。
【００８２】
＜動作＞
図５は、ユーザの端末２０とサーバ１０との間のやり取りを示すシーケンス図である。図５に示すように、端末２０は、個人情報作成部２１３は、ユーザの入力に従って個人情報を作成する（ステップＳ５０１）。端末２０は、作成した個人情報をサーバ１０に送信する（ステップＳ５０２）。
【００８３】
サーバ１０は、端末２０から送信された個人情報を受信する。サーバ１０は、受信した個人情報の開示度合に基づいて、ユーザに対して与える報酬を決定する（ステップＳ５０３）。そして、サーバ１０は、決定した報酬に関する報酬情報を、ユーザの端末２０に送信する（ステップＳ５０４）。
【００８４】
これにより、ユーザは、自身の個人情報をサーバ１０に提供することにより報酬を受け取ることができる。また、サーバ１０は、ユーザの個人情報を受け取ることにより、どのようなユーザがサービスを利用しているのかを認識することができ、例えば、マーケティングに利用することができる。
【００８５】
図６は、図５におけるやり取りを実現するための端末２０の動作を示すフローチャートである。
【００８６】
図５に示すように、端末２０は、個人情報の作成のための指示入力を、タッチパネルを介して受け付ける（ステップＳ６０１）。
【００８７】
端末２０は、ユーザから、タッチパネルを介して、各種の個人情報の入力を受け付ける（ステップＳ６０２）。ここで、ユーザが入力する個人情報は、ユーザの任意による。
【００８８】
端末２０の個人情報作成部２１３は、ユーザから入力された内容にしたがって、個人情報を作成し、作成した個人情報を記憶部２８に記憶する。
【００８９】
そして、端末２０の制御部２１は、記憶部２８に記憶されているユーザの個人情報を通信Ｉ／Ｆ２２を介して、サーバ１０に送信する（ステップＳ６０４）。
【００９０】
ユーザが個人情報を送信したことに応じて、サーバ１０からは、その個人情報に基づく報酬情報が送信される。
【００９１】
端末２０の通信Ｉ／Ｆ２２は、サーバ１０から送信された報酬情報を受信する（ステップＳ６０５）。そして、端末２０の表示処理部２１２は、受信した報酬情報を表示部２４に表示させて処理を終了する。
【００９２】
これにより、ユーザは、個人情報をサーバ１０に開示したことにより、どのような報酬を受領したのかを認識することができる。
【００９３】
図７は、図５におけるやり取りを実現するためのサーバ１０の動作を示すフローチャートである。
【００９４】
図７に示すように、サーバ１０の通信Ｉ／Ｆ１４は、端末２０から送信された端末２０のユーザの個人情報を受信する（ステップＳ７０１）。制御部１１は、受信した個人情報を、記憶部１５に記憶させる。
【００９５】
決定部１１１は、記憶部１５に記憶された個人情報を参照し、個人情報が開示されている情報数（個数）を計数する（ステップＳ７０２）。そして、計数した情報数に基づいて、端末２０のユーザの個人情報の開示度合を特定する（ステップＳ７０３）。ここで、開示度合は、上述したように、計数した情報数そのものであってもよいし、個人情報の種別の総数に対して、計数した情報数で除した割合であってもよい。
【００９６】
決定部１１１は、個人情報の開示度合を特定すると、特定した開示度合に基づいて、ユーザに与える報酬を決定する（ステップＳ７０４）。決定部１１１は、報酬配布基準情報４００の個人情報開示数４０１（個人情報開示度合）を参照して、特定した開示度合がいずれに該当するかを特定する。そして、報酬配布基準情報４００において特定した開示度合に対応する報酬を、ユーザに与える報酬として決定する。
【００９７】
報酬送信部１１２は、決定部１１１が決定した報酬を示す報酬情報を生成し、生成した報酬情報を、通信Ｉ／Ｆ１４を介して、ユーザの端末２０に送信する（ステップＳ７０５）。
【００９８】
これにより、サーバ１０は、ユーザの個人情報の開示度合に基づく報酬を、ユーザに与えることができる。
【００９９】
＜第１実施形態の効果＞
本実施形態に係るサーバ１０は、ユーザが開示した個人情報の開示度合に応じた報酬をユーザに与えることができる。ユーザは、自身で開示してよいと判断した個人情報を開示することで報酬を受けることができるというメリットを得る。一方で、サーバ１０は、報酬を設定することで、ユーザに個人情報の開示を求め、ユーザの情報を得ることができる。また、個人情報の開示度合に応じた報酬を設定しているので、ユーザに対してより多くの個人情報の開示を促すことができる。
【０１００】
＜第２実施形態＞
上記第１実施形態においては、メッセージングサービスを提供するサーバ１０に対して個人情報を開示して、ユーザが報酬を受領する例を示した。本第２実施形態においては、サーバ１０以外に個人情報を開示して報酬を受領する例を示す。なお、第２実施形態において、第１実施形態と共通する内容については、説明を省略する。
【０１０１】
図８は、第２実施形態に係る通信システム１の構成を示す図である。端末２０及びサーバ１０の構成は、第１実施形態と同様であるので、説明を省略する。第２実施形態に係る通信システム１は、第１実施形態と異なり、更に、施設サーバ４０が含まれる。
【０１０２】
施設サーバ４０は、何らかのサービスを提供する施設に係るサーバであり、提供するサービスとしては、どのようなものであってもよい。本実施形態においては、限定ではなく、一例として、宿泊施設に対応するサーバであるとし、施設サーバ４０は、宿泊プランに係る情報をユーザに提供するとともに、ユーザから宿泊プランの予約（宿泊の予約）を受け付けて管理する。
【０１０３】
図８に示すように、施設サーバ４０は、構成自体は、サーバ１０と同様の構成を有するサーバ装置である。施設サーバ４０は、制御部３１と、入出力部３２と、表示部３３と、通信Ｉ／Ｆ３４と、記憶部３５と、を備える。施設サーバ４０は、ハードウェア構成としては、サーバ１０と同様の構成を有するサーバ装置である。そのため、施設サーバ４０については、施設サーバ４０に特有の機能について説明する。施設サーバ４０は、ユーザの端末２０からのアクセスがあった場合に、施設サーバ４０が提供するサービスについて情報を提供するウェブサーバとして機能する。また、施設サーバ４０は、提供した情報について、ユーザからの予約を受け付けるサーバとしても機能する。
【０１０４】
施設サーバ４０の制御部３１は、ユーザの端末２０からのアクセス要求があった場合に、施設サーバ４０に係る施設（宿泊施設）を利用するための宿泊プランに係る情報を、通信Ｉ／Ｆ３４を介して、端末２０に送信する。
【０１０５】
また、制御部３１は、ユーザからのサービスの予約を受け付ける予約受付部３１１として機能する。予約受付部３１１は、ユーザから指定された宿泊プランと、宿泊日時と、当該ユーザの個人情報と、を対応付けて、予約情報として、記憶部３５に記憶する。
【０１０６】
制御部３１は、予約情報をユーザの端末２０に通信Ｉ／Ｆ３４を介して送信する。
【０１０７】
一方、サーバ１０の制御部１１（メッセージ処理部２１１）は、トークルーム上で、施設サーバ４０を紹介する広告メッセージをユーザの端末２０に送信する。また、制御部１１は、ユーザの端末２０から、施設サーバ４０へのアクセス要求を受け付けた場合に、当該アクセス要求を、施設サーバ４０に送信する。
【０１０８】
また、制御部１１の決定部１１１は、ユーザの端末２０から施設サーバ４０を予約したことを示す予約情報を受け付けた場合に、当該予約情報に含まれる個人情報の開示度合によって、ユーザに与える報酬を決定する。
【０１０９】
端末２０は、ユーザからの入力に従って施設サーバ４０が提供するウェブサイトにアクセスする。表示処理部２１２は、施設サーバ４０から提供されたウェブサイトの情報を表示部２４に表示させる。また、端末２０の入出力部２２はユーザからの入力を受け付けて、施設サーバ４０に係る施設のサービスを利用するための予約を行う。即ち、ユーザは施設サーバ４０のサービスを利用するために、利用するサービスの指定、サービスを受け付ける日時、ユーザ自身の個人情報を入力して、予約を行う。端末２０の通信Ｉ／Ｆ２２は、予約を行ったことに伴って、施設サーバ４０から予約情報を受信する。制御部２１は、受信した予約情報を、通信Ｉ／Ｆ２２を介して、サーバ１０に送信する。制御部２１は、受信した予約情報またはユーザが予約を行った際の情報に基づく予約情報において開示した個人情報の開示度合に応じた報酬情報をサーバ１０から受信する。
【０１１０】
以上が、第２実施形態に係る各装置の構成である。
【０１１１】
＜動作＞
図９は、第２実施形態における通信システム１におけるやり取りを示すシーケンス図である。
【０１１２】
図９に示すように、端末２０において、トークルーム上においてサーバ１０から紹介された施設サーバ４０に関する情報を見たユーザは、施設サーバ４０への情報を要求する入力を、タッチパネル２３１を介して行う。ユーザの入力を受け付けた端末２０は、サーバ１０に対して施設サーバ４０のウェブサイトへのアクセス要求を送信する（ステップＳ９０１）。
【０１１３】
サーバ１０は、ユーザの端末２０から施設サーバ４０へのアクセス要求を受信すると、このアクセス要求を、施設サーバ４０に送信する（ステップＳ９０２）。
【０１１４】
施設サーバ４０は、サーバ１０から端末２０のアクセス要求を受信する。アクセス要求を受信すると、施設サーバ４０は、施設に係る情報である各種のプラン情報を掲載するウェブサイトの情報を端末２０に送信する（ステップＳ９０３）。
【０１１５】
ウェブサイトを確認したユーザは、プラン情報のうち予約したいものがあった場合には、予約を実行する（ステップＳ９０４）。ここで、予約をするとは、プラン情報のうち、ユーザが利用したいプランを指定し、その利用日時の指定と、ユーザ自身の個人情報の登録を行うことを含む。過去にユーザが施設サーバ４０に係る施設を利用し、個人情報を登録している場合には、個人情報の登録は省略してもよい。予約に伴い、施設サーバ４０は、ユーザが予約したプラン情報と、予約日時と、ユーザの個人情報とを対応付けた予約情報を記憶する（ステップＳ９０５）。
【０１１６】
予約を完了すると、ユーザは、端末２０を用いて、予約した内容を示す予約情報をサーバ１０に送信する（ステップＳ９０６）。
【０１１７】
サーバ１０は、予約情報に含まれるユーザの個人情報の開示度合に基づいて、報酬を決定する（ステップＳ９０７）。そして、サーバ１０は、端末２０に対して、決定した報酬を示す報酬情報を送信する（ステップＳ９０８）。
【０１１８】
以上が第２実施形態に係る通信システム１における各装置間のやり取りについての説明である。
【０１１９】
図１０は、図９に示す動作を実現するための端末２０の動作を示すフローチャートである。
【０１２０】
図１０に示すように、端末２０の通信Ｉ／Ｆ２２は、サーバ１０からトークルーム上で表示するための施設サーバ４０に関する情報を受信する。施設サーバ４０に関する情報とは、例えば、施設サーバ４０の写真や名称、説明文などであってよく、施設サーバ４０のウェブサイトへのリンク情報であってよい。制御部２１の表示処理部２１２は、受信した施設サーバ４０に関する情報をトークルーム上に表示する（ステップＳ１００１）。
【０１２１】
施設サーバ４０に関する情報を見たユーザは、施設サーバ４０が提供するウェブサイトへのアクセスのための入力を行い、端末２０の通信Ｉ／Ｆ２２は、アクセス要求を送信する（ステップＳ１００２）。
【０１２２】
アクセス要求を送信したことに応じて、通信Ｉ／Ｆ２２は施設サーバ４０から送信された施設に関するウェブサイトの情報を受信する。表示処理部２１２は、受信したウェブサイトの情報を表示部２４に表示させる（ステップＳ１００３）。
【０１２３】
表示された各種のプランを見たユーザが、予約したいプランを発見した場合には、ユーザは、端末２０を介して予約を行う。即ち、ユーザは、端末２０に、予約したいプラン情報を指定し、利用の日時を指定し、ユーザ自身の個人情報を入力する。端末２０は、入力された情報を施設サーバ４０に送信する（ステップＳ１００４）。なお、ユーザが入力する個人情報について、開示の度合は任意であるとする。
【０１２４】
次に、制御部２１は、通信Ｉ／Ｆ２２を介して、予約したプラン情報と、利用日時の情報と、予約の際に入力したユーザの個人情報とを含む予約情報をサーバ１０に送信する（ステップＳ１００５）。
【０１２５】
予約情報を送信したことに伴って、サーバ１０からは、予約情報に含まれる個人情報の開示度合に応じた報酬情報が送信され、端末２０の通信Ｉ／Ｆ２２は、この報酬情報を受信する（ステップＳ１００６）。制御部２１の表示処理部２１２は、受信した報酬情報を表示部２４に表示して、処理を終了する。これにより、ユーザは、施設サーバ４０に対して開示した個人情報の開示度合に応じた報酬をサーバ１０から受け取ることができる。
【０１２６】
図１１は、図９に示す動作を実現するためのサーバ１０の動作を示すフローチャートである。図１１に示す処理は、サーバ１０が、端末２０から何等かの信号を受信した場合の動作である。
【０１２７】
サーバ１０の通信Ｉ／Ｆ１４は、ユーザの端末２０から、施設サーバ４０へのアクセス要求を受け付けた場合には（ステップＳ１１０１のＹＥＳ）、通信Ｉ／Ｆ１４は、このアクセス要求を、施設サーバ４０に送信する（ステップＳ１１０２）。
【０１２８】
一方、通信Ｉ／Ｆ１４は、ユーザの端末２０から、予約情報を受信した場合には（ステップＳ１１０３のＹＥＳ）、制御部１１の決定部１１１は、予約情報に含まれる個人情報を抽出する。決定部１１１は、抽出した個人情報の開示度合を算出し、算出した開示度合と、報酬配布基準情報４００とに基づいて、ユーザに与える報酬を決定する（ステップＳ１１０４）。
【０１２９】
そして、報酬送信部１１２は、通信Ｉ／Ｆ１４を介して、ユーザの端末２０に、決定した報酬を示す報酬情報を送信する。
【０１３０】
図１２は、図９に示す動作を実現するための施設サーバ４０の動作を示すフローチャートである。
【０１３１】
施設サーバ４０の通信Ｉ／Ｆ３４は、サーバ１０から、端末２０からのアクセス要求を受信した場合には（ステップＳ１２０１のＹＥＳ）、制御部３１は、施設サーバ４０に係る施設の情報を含み、この施設を利用するためのプラン情報を含む、ウェブサイトの情報を、通信Ｉ／Ｆ３４を介して、端末２０に送信する（ステップＳ１２０２）。これにより、施設サーバ４０は、対応する施設に関する情報を、提供することができる。
【０１３２】
一方、施設サーバ４０の通信Ｉ／Ｆ３４は、ユーザの端末２０から、施設を利用するための予約を受け付けた場合には（ステップＳ１２０３のＹＥＳ）、制御部３１は、受け付けた予約内容を示す予約情報を作成し、記憶部３５に記憶する（ステップＳ１２０４）。施設サーバ４０の記憶部３５に記憶される予約情報は、利用日時や、利用するユーザの個人情報、利用するプラン情報を含む。
【０１３３】
この表示を見たユーザは興味を覚えた場合に、端末２０から施設サーバ４０が提供するウェブサイトへのアクセス要求を送信する。
【０１３４】
＜第２実施形態の変形例＞
第２実施形態において、ユーザの端末２０は、サーバ１０を経由して、施設サーバ４０のウェブサイトにアクセスすることとしたが、これはその限りではないユーザは、端末２０を用いて、サーバ１０を経由せずに施設サーバ４０のウェブサイトにアクセスすることとしてもよく、その場合に、サーバ１０からではなく施設サーバ４０から報酬をユーザに与えることとしてもよい。また、サーバ１０を経由しない場合であっても、ユーザが予約情報をサーバ１０に送信することで、サーバ１０からユーザに対して報酬を与えることとしてもよい。
【０１３５】
また、第２実施形態において、ユーザの端末２０から、サーバ１０に予約情報を送信することとしているが、これは、施設サーバ４０からサーバ１０に送信するものであってもよい。
【０１３６】
また、第２実施形態において、端末２０からサーバ１０に送信する予約情報は、ユーザに与える報酬を決定するために個人情報は必須の情報となるが、その他の、プラン情報や利用日時情報は、必須ではない。
【０１３７】
第２実施形態において特に記載していないが、サーバ１０は、施設サーバ４０からユーザを紹介したことに伴った対価を受け取ることとしてよい。そして、サーバ１０がユーザに対して与える報酬は、施設サーバ４０から受け取った対価の中から購入したもの、若しくは、対価の一部であってもよい。
【０１３８】
＜第３実施形態＞
第２実施形態においては、施設サーバ４０を絡めて、ユーザに報酬を与える例を示した。本第３実施形態においては、第２実施形態とは異なる態様について説明する。第３実施形態においては、通信システム１は、施設サーバ４０に代えて、施設サーバ４０を含む。施設サーバ４０は、広告を発行しているサーバであればどのようなサーバであってもよく、広告の配布が主たる業務でなくともよい。施設サーバ４０の構成については、第２実施形態において説明した構成と同様であるので、第２実施形態において示した構成を本実施形態においても用いることとする。
【０１３９】
施設サーバ４０からは、サーバ１０に対して、ユーザに伝えたい情報を含む広告を、トークルーム等で表示するよう依頼する。これに対して、ユーザがその広告を見た場合に、サーバ１０は、ユーザに対して個人情報の開示度合に応じた報酬を与える。そして、サーバ１０は、ユーザによりどの広告が見られたのかを示す情報を施設サーバ４０に送信し、対価を受け取る。このような態様について、通信システム１に係る各装置の構成、動作について説明する。
【０１４０】
第３実施形態において、端末２０、サーバ１０のハードウェア構成については、第１実施形態、第２実施形態に共通する。また、施設サーバ４０についても、構成自体は、施設サーバ４０と同様の構成を有する。以下、第２実施形態と異なる構成について説明する。
【０１４１】
第３実施形態において、サーバ１０の記憶部１５は、ユーザが開示した個人情報に応じて配布する広告を特定するための広告配布基準情報４１０を記憶している。広告配布基準情報４１０は、ユーザの個人情報の開示度合に応じて、ユーザに配布される広告がどの広告であるかを定めた情報である。図４（ｂ）は、広告配布基準情報４１０の一例であり、ここでは、ユーザの個人情報開示度合４１１と、広告情報４１２とが対応付けられた情報である。個人情報開示度合４１１は、個人情報開示度合４１０と同じで、ユーザが開示している個人情報の開示度合を示す情報である。一方、広告情報４１２は、実際の広告を示す情報、もしくは、その識別子を示す情報である。
【０１４２】
サーバ１０の制御部１１は、端末２０のユーザが利用するトークルームに対して、施設サーバ４０からの広告情報を掲載する。即ち、制御部１１は、通信Ｉ／Ｆ１４を介して、広告情報を端末２０に送信する。また、決定部１１１は、第１実施形態、第２実施形態に示した機能に加え、ユーザが開示している個人情報に基づいて、そのユーザに配布する広告を決定する機能を有する。ここで、個人情報に基づいて、配布する広告を決定するとは、例えば、個人情報に年齢が含まれる場合には、その年齢層に応じた内容の広告を決定したり、個人情報に住所が含まれる場合には、その住所で示される位置から導き出される地域性に富んだ内容の広告を決定したり、個人情報に性別が含まれる場合には、その性別に応じた内容の広告を決定したり、あるいは、個人情報の開示度合に応じた内容の広告を決定したりすることができる。個人情報の開示度合に応じた内容の広告とは、例えば、個人情報の開示度合が高いほど、ユーザに対して告知される情報の密度が高くなったり、開示度合が低いユーザに対しては公開されない情報が含まれたりするようにした広告などであってよい。言い換えれば、開示度合が高いユーザに対して公開される広告は、ユーザにとってより得になると思われる情報が含まれる広告になっていることが望ましい。
【０１４３】
また、制御部１１は、第３実施形態においては、第１実施形態と異なり、ユーザが端末２０で、広告情報を表示したことを受けて、ユーザの端末２０に対して報酬情報を送信する。そして、制御部１１は、通信Ｉ／Ｆ１４を介して、施設サーバ４０にユーザが広告を閲覧したことを示す広告確認情報を送信する。このとき、サーバ１０は、ユーザからの許諾が有る場合には、広告確認情報とともに広告表示情報を送信した端末２０のユーザの個人情報も併せて送信することとしてもよい。そして、サーバ１０は、施設サーバ４０から、広告を配布したこと、広告確認情報を送信したことに対する対価を受領する。
【０１４４】
施設サーバ４０の入出力部３２は、広告情報の入力を受け付ける。この受け付けは、施設サーバ４０のオペレータによる直接入力によるものであってもよいし、完成した広告情報のデータ入力であってもよい。
【０１４５】
制御部３１は、広告情報の入力を受け付けると、記憶部３５に記憶させる。そして、制御部３１は、通信Ｉ／Ｆ３４を介して、サーバ１０に受け付けた広告情報を送信する。このとき、広告配布基準情報４１０も併せて受け付けている場合には、広告配布基準情報４１０も併せて送信する。広告配布基準情報４１０の詳細については後述する。
【０１４６】
施設サーバ４０の制御部３１は、サーバ１０から、ユーザが端末２０で広告を確認したことを示す広告確認情報を受信した場合には、サーバ１０に対して、広告を送付したこと及び広告確認情報を送信したことに対する対価を支払う機能を有してもよい。ここで、対価は、限定ではなく例として、金銭や仮想通貨などであってよい。また、支払う対価の額は、予め定められた固定額であってもよいし、ユーザがサーバ１０に対して開示している個人情報の開示度合に応じて増減してもよい。例えば、ユーザがサーバ１０に対して開示している個人情報の度合が高い場合には、個人情報の開示度合が低い場合と比して、施設サーバ４０は、より高い対価をサーバ１０に対して支払うこととしてもよい。
【０１４７】
＜データ＞
図４（ｂ）は、第３実施形態に係る広告配布基準情報４１０の構成例を示すデータ概念図である。広告配布基準情報４１０は、複数の同種の広告が存在する場合に、どの広告をユーザに送信するのかを決定するためにサーバ１０が用いる情報である。
【０１４８】
図４（ｂ）に示すように、広告配布基準情報４１０は、個人情報開示度合４１１（個人情報開示数）と、広告情報４１２とが対応付けられた情報である。
【０１４９】
個人情報開示度合４１１は、ユーザが開示している個人情報の開示の度合を示す情報である。
【０１５０】
広告情報４１２は、対応する個人情報度合４１１で示される度合だけユーザが個人情報を開示している場合に、そのユーザに送信する広告を示す情報である。
【０１５１】
広告配布基準情報４１０があることにより、サーバ１０は、ユーザが開示した個人情報の開示度合に応じて広告を配布することができる。
【０１５２】
＜動作＞
図１３は、第３実施形態における各装置間のやり取りを示すシーケンス図である。
【０１５３】
図１３に示すように、ユーザは、端末２０から、自身の個人情報をサーバ１０に送信する（ステップＳ１３０１）。この個人情報は、ユーザ自身が開示してもよいと判断した情報のみを含む個人情報である。サーバ１０は、端末２０から個人情報を受信すると、これを記憶する。
【０１５４】
一方、施設サーバ４０は、広告情報をサーバ１０に送信する（ステップＳ１３０２）。サーバ１０は、受信した広告情報を記憶する。
【０１５５】
サーバ１０は、端末２０から送信されたユーザの個人情報の開示度合に基づいて、ユーザに送信する広告を決定する。そして、サーバ１０は、決定した広告を、ユーザの端末２０に送信する（ステップＳ１３０３）。サーバ１０は、例えば、トークルーム上に、広告を掲載する形で、端末２０に広告を送信する。
【０１５６】
端末２０は、サーバ１０から送信された広告情報を受信すると、この広告情報を表示する（ステップＳ１３０４）、例えば、端末２０は、ユーザからの指示に従って、トークルームを開く（表示する）ことで、受信した広告を表示する。
【０１５７】
端末２０は、広告情報を表示すると、広告を表示したことを示す広告表示情報をサーバ１０に送信する（ステップＳ１３０５）。
【０１５８】
サーバ１０は、広告表示情報を受信すると、ユーザが広告を確認した可能性が高いので、ユーザが開示している個人情報の開示度合に応じた報酬情報を端末２０に送信する（ステップＳ１３０６）。
【０１５９】
また、サーバ１０は、広告表示情報を受信すると、広告がユーザの端末２０でユーザにより確認されたことを示す広告確認情報を、施設サーバ４０に送信する（ステップＳ１３０７）。これにより、施設サーバ４０は、ユーザが実際に広告を確認してくれたかどうかを、認識することができる。このとき、サーバ１０は、施設サーバ４０に対して、広告をユーザの端末２０に送信し、ユーザが広告を確認したことを報告したことの対価を請求することとしてもよい。ここでいう、対価は、例えば、実際の金銭や仮想通貨などであってよい。
【０１６０】
図１４は、図１３に示すシーケンス図におけるやり取りを実現するための端末２０の動作を示すフローチャートである。
【０１６１】
図１４に示すように、端末２０の制御部２１は、通信Ｉ／Ｆ２２を介して、ユーザから入力された内容に従って個人情報作成部２１３が作成した個人情報を、サーバ１０に送信する（ステップＳ１４０１）。
【０１６２】
端末２０の通信Ｉ／Ｆ２２は、サーバ１０から広告情報を受信する（ステップＳ１４０２）。すると、表示処理部２１２は、表示部２４に受信した広告情報を表示する（ステップＳ１４０３）。表示処理部２１２は、例えば、ユーザからの入力に従って、トークルームの表示を指示されたことを契機として、トークルームを表示するとともに、そのトークルームに広告情報を掲載することで、広告情報を表示する。
【０１６３】
制御部２１は、広告情報を表示したことを以て、ユーザが広告を確認したこととし、端末２０において、広告情報を表示したことを示す広告表示情報を生成する。広告表示情報は、サーバ１０から送信されたどの広告であるかを示す広告の識別情報を含んでもよい。制御部２１は、生成した広告表示情報を、通信Ｉ／Ｆ２２を介して、サーバ１０に送信して、終了する。これにより、ユーザの端末２０は、サーバ１０に対してユーザが広告を確認したことを報告することができ、広告を確認したことに伴って、報酬を受領することができる。
【０１６４】
図１５は、図１３に示すシーケンス図におけるやり取りを実現するためのサーバ１０の動作を示すフローチャートである。
【０１６５】
図１５に示すように、サーバ１０の通信Ｉ／Ｆ１４は、信号を受信する。受信した信号が、ユーザの端末２０から送信された個人情報である場合には（ステップＳ１５０１のＹＥＳ）、制御部２１は、記憶部２８にユーザの個人情報を記憶させる（ステップＳ１５０２）。
【０１６６】
一方、受信した信号が、施設サーバ４０から送信された広告情報である場合に（ステップＳ１５０３のＹＥＳ）、サーバ１０の制御部１１は、受信した広告情報を、記憶部１５に記憶させる。このとき、広告情報として、複数の広告情報を受信した場合には、広告配布基準情報４１０を、記憶部１５に記憶させる。広告配布基準情報４１０は、施設サーバ４０に係るオペレータが作成して、広告情報とともに送信されてきたものを記憶させてもよいし、サーバ１０のオペレータが作成して、記憶部１５に記憶させることとしてもよい。
【０１６７】
そして、制御部１１は、ユーザの端末２０に宛てて、通信Ｉ／Ｆ１４を介して、広告情報を送信する（ステップＳ１５０５）。このとき、制御部１１は、同種であって複数の広告情報が存在し、広告配布基準情報４１０がある場合には、ユーザの個人情報の開示度合に応じて、ユーザの端末に送信する広告を決定し、決定した広告情報を送信する。即ち、制御部１１は、個人情報の開示度合を算出し、広告配布基準情報４１０の個人情報開示度合４１１と照らし合わせ、広告情報４１２で示される広告のうち、送信すべき広告を特定する。
【０１６８】
受信した信号が、端末２０からの広告表示情報であった場合には（ステップＳ１５０６のＹＥＳ）、決定部１１１は、報酬配布基準情報４００を参照して、ユーザが開示している個人情報の開示度合に基づいて、報酬を決定する（ステップＳ１５０７）。
【０１６９】
報酬送信部１１１は、決定した報酬を示す報酬情報を、通信Ｉ／Ｆ１４を介して、端末２０に送信する（ステップＳ１５０８）。これにより、サーバ１０は、ユーザの端末２０に対して、ユーザが広告を閲覧したことによる報酬を送信することができるので、単にユーザが広告を受け取っただけでは報酬を送信することがなくなるので、ユーザがより確実に広告を閲覧するようにすることができる。
【０１７０】
また、制御部１１は、ユーザから受信した広告表示情報に基づいて、施設サーバ４０に、端末２０において、広告が表示されて、ユーザにより確認されたことを示す広告確認情報を生成する。そして、制御部１１は、広告確認情報を、通信Ｉ／Ｆ１４を介して、施設サーバ４０に送信する。このとき、制御部１１は、広告確認情報とともに、広告確認情報を送信することに対する対価を請求するための請求情報を併せて送信することとしてもよい。なお、広告確認情報の送信が請求の代替となっていてもよい。制御部１１は、対価を請求する場合に、ユーザが開示している個人情報の開示度合に応じて、施設サーバ４０に対する対価を決定してよく、個人情報の開示度合が高いほど、高い対価を請求することとしてよい。ユーザの個人情報の開示度合が高いほど、高い対価を請求することで、その対価の中からユーザに対する報酬を用意する場合にユーザに対する報酬も高くすることができる。
【０１７１】
サーバ１０は、広告確認情報を送信したことに伴い、施設サーバ４０から、その対価を受信して（ステップＳ１５１０）、次の信号を受信するまで待機する。
以上が、サーバ１０の動作である。
【０１７２】
図１６は、図１３に示すシーケンス図におけるやり取りを実現するための施設サーバ４０の動作を示すフローチャートである。
【０１７３】
施設サーバ４０は、広告情報の入力を受け付けた場合には（ステップＳ１６０１）、制御部３１は、通信Ｉ／Ｆ３４を介して、サーバ１０に、受け付けた広告情報を送信する（ステップＳ１６０２）。このとき、広告配布基準情報４１０も併せて受け付けた場合には、広告情報とともにサーバ１０に送信する。
【０１７４】
一方で、広告確認情報をサーバ１０から受信した場合には（ステップＳ１６０３）、制御部３１は、対価をサーバ１０に送信する。ここで、対価を送信するとは、限定ではなく一例として、金銭をサーバ１０の口座に振り込んだり、所定額の仮想通貨の使用権を示すパスワードを送信したりすることなどであってよい。
【０１７５】
以上に示したように、本第３実施形態によれば、施設サーバ４０が広告を様々なユーザに配布したい場合に、ユーザとの間の通信のための下地がある（メッセージングサービスを介してユーザに情報を送信することができる）サーバ１０に広告の配布を依頼することができ、多くのユーザを対象に、様々な施設サーバ４０に関する宣伝を行うことができる。サーバ１０は、施設サーバ４０から依頼された広告をユーザに配布し、ユーザが広告を閲覧したかどうかを推定可能な情報（広告確認情報）を施設サーバ４０に送信することで、施設サーバ４０からその対価を受け取ることができる。また、ユーザの端末２０は、施設サーバ４０からの広告を見ることで、施設サーバ４０に係る情報を得ることができるとともに、自身の個人情報を開示することに伴う報酬を得ることができる。したがって、通信システム１に係る全ての構成（ユーザ、サーバ１０の運営者、施設サーバ４０の運営者）が得をするシステムを提供することができる。
【０１７６】
＜第３実施形態の変形例＞
上記第３実施形態においては、サーバ１０が施設サーバ４０からの依頼を受けて、端末２０に広告を送信することとしているが、施設サーバ４０から直接端末２０に広告を送信することとしてもよく、この場合、施設サーバ４０がユーザの端末２０に報酬情報を送信することとしてもよい。即ち、施設サーバ４０が、決定部１１１と報酬送信部１１２との機能を保持ししてもよい。
【０１７７】
上記第３実施形態においては、サーバ１０は、端末２０に対して送信する広告を、個人情報の開示度合に基づいて、決定することとしたが、これはその限りではない。ユーザが開示している個人情報の種別、あるいは、それらの種別の組み合わせによって、送信する広告を決定することとしてもよい。即ち、図４（ｂ）における広告配布基準情報４１０において、個人情報の開示度合に代えて、個人情報の開示種別を用いることとしてもよい。広告配布基準情報４１０は、サーバ１０のオペレータが設定することとしてもよいし、広告の配布主である施設サーバ４０が指定することとしてもよい。また、上記第３実施形態では、個人情報の開示度合に応じて広告を配布することとしているが、配布する広告は同一であってもよく、その場合でも、サーバ１０は、ユーザの個人情報の開示度合に応じてユーザに対する報酬を決定するとともに、施設サーバ４０に対してユーザが広告を確認したことを示す情報を送信することに対する報酬を請求するようにしてもよい。
【０１７８】
図１５に示すフローチャートにおいては、サーバ１０は、広告情報を施設サーバ４０から受信したことを契機として、広告情報を端末２０に送信することとしたが、これはその限りではない。例えば、予め広告情報を記憶部１５に記憶しておき、所定のタイミングで記憶してある広告情報を送信することとしてもよい。所定のタイミングとは、何らかの条件が満たされたときであり、限定ではなく一例として、毎日決まった時間になったときであったり、ユーザが所定の処理を端末２０で実行したときであったりしてよい。
【０１７９】
また、上記第３実施形態において、ユーザは、個人情報をサーバ１０に対して送信しているが、これは、施設サーバ４０に対して送信するものであってもよく、この場合に、施設サーバ４０が、そのユーザの端末２０に対して送信する広告を決定することとしてもよい。即ち、サーバ１０が保持していた機能（個人情報の開示度合に応じて配布する広告を決定する機能やユーザに対して付与する報酬を決定する機能）を、施設サーバ４０が保持することとしてもよい。
【０１８０】
また、上記第３実施形態において、サーバ１０は、ユーザから受信した個人情報で示される位置情報（例えば、ユーザの住所や、端末が取得した現在位置の位置情報など）に関連する広告を端末２０に送信することとしてもよい。この場合に、広告情報には予め、どの地域や場所に関連する広告であるかを示す情報が対応付けられており、この情報と、ユーザからの位置情報とに基づいて、サーバ１０の決定部１１１は、ユーザの端末２０に送信する広告を決定することとしてもよい。また、報酬を送信する際には、ユーザの存在する場所に特化した報酬を与えることとしてもよい。限定ではなく一例として、ユーザの存在する地域でのみ利用できる割引券などを報酬として与えることが考えられる。この場合、ユーザはその地域のサービスを安い料金で利用できるとともに、広告を配信する側は、施設サーバ４０に関連する施設の利用をユーザに促すことができる。または、広告を配信する側は、ユーザからの位置情報の近辺にある不動産や賃貸アパートなどの情報を提供してもよい。一般的に、ユーザが別の建物に引っ越したり、土地や家を購入したりする場合、現在居住している場所近辺のものを購入する傾向がある。そのため、ユーザからの位置情報とは遠い場所の不動産や賃貸アパートの広告を提供してもユーザの嗜好に沿わない場合が多い。そのため、ユーザからの位置情報を利用し、ユーザからの位置情報近辺にある不動産や賃貸アパートの情報を、広告を配信する側は提供してもよい。
【０１８１】
なお、上記の場合のユーザからの位置情報は、日常的に取得することができる位置情報であることが好ましい。旅行中などに取得された、ユーザが普段居住する地域や、ユーザがよく移動する場所（ユーザが勤める企業等）から遠い地域の位置情報に基づく不動産や賃貸アパートなどの広告情報をユーザに提供したとしてもユーザの嗜好に適さない場合があるからである。もちろん、ユーザが転勤などで遠方に居住地を探している場合などもあるため、必ずしも上記に限定する必要はない。
【０１８２】
＜その他＞
本開示の実施形態を諸図面や実施例に基づき説明してきたが、当業者であれば本開示に基づき種々の変形や修正を行うことが容易であることに注意されたい。従って、これらの変形や修正は本開示の範囲に含まれることに留意されたい。限定でなく例として、各手段、各ステップ等に含まれる機能等は論理的に矛盾しないように再配置可能であり、複数の手段やステップ等を１つに組み合わせたり、或いは分割したりすることが可能である。また、各実施形態に示す構成を適宜組み合わせることとしてもよい。
【符号の説明】
【０１８３】
１  通信システム
１０  サーバ
１１  制御部
１１１  決定部
１１２  報酬送信部
１２  入出力部
１３  表示部
１４  通信Ｉ／Ｆ（通信部）
２０  端末
２１  制御部
２１１  メッセージ処理部
２１２  表示処理部
２１３  個人情報作成部
２２  通信Ｉ／Ｆ
２３  入出力部
２４  表示部（ディスプレイ）
２８  記憶部
【図１】
2019211851.tif 000003
【図２】
2019211851.tif 000004
【図３】
2019211851.tif 000005
【図４】
2019211851.tif 000006
【図５】
2019211851.tif 000007
【図６】
2019211851.tif 000008
【図７】
2019211851.tif 000009
【図８】
2019211851.tif 000010
【図９】
2019211851.tif 000011
【図１０】
2019211851.tif 000012
【図１１】
2019211851.tif 000013
【図１２】
2019211851.tif 000014
【図１３】
2019211851.tif 000015
【図１４】
2019211851.tif 000016
【図１５】
2019211851.tif 000017
【図１６】
2019211851.tif 000018